(57)【要約】  本発明は、信号光の伝搬経路において伝送異常が生じた場合に早期にその異常原因を判定するための構造を備えた光伝送監視装置に関する。当該光伝送監視装置(2A)は、光ファイバ伝送路(13n)に第１局(11n)側から第２局(12n)側へ向けてパルス試験光を伝搬させて、その伝搬の際に生じる後方散乱光に基づいて光伝送を監視する装置である。光伝送監視装置(2A)は、光スイッチ(20)、測定装置(30)及び光伝送異常判定装置(50)を備える。光伝送異常判定装置(50)は、光伝送監視部(51)、計測制御部(52)、光伝送路試験部(53)、試験データ管理部(54)、配線情報管理部(55)、光スイッチ配線情報管理部(56)及び判定部(57)を含む。光伝送監視部(51)は、第１局(11n)における信号光の送信または受信の状況に基づいて、第１局(11n)から第２局(12n)へ至る信号光の伝搬経路の伝送異常を検出する。
2010101001.tif 000002
【特許請求の範囲】
【請求項１】
第１局と、第２局と、前記第１局と前記第２局との間に敷設された光ファイバ伝送路によりそれぞれが構成された、１又はそれ以上の伝送路ユニットのうち、監視対象となった伝送ユニットにおいて第１局側から第２局側へ向けてパルス試験光を伝搬させ、前記パルス試験光の伝搬の際に生じる後方散乱光に基づいて前記第１局と前記第２局との間の光伝送を監視する光伝送監視装置において、
前記１又はそれ以上の伝送路ユニットのうちいずれかの伝送路ユニットを監視対象として特定し、該監視対象となった伝送路ユニットに属する前記第１局における信号光の送信又は受信の状況に基づいて、前記監視対象となった伝送路ユニットにおける伝送異常の有無を検出する監視部と、
前記１又はそれ以上の伝送路ユニットのうち前記監視部が監視対象とした伝送ユニットから得られる測定データを、これら１又はそれ以上の伝送路ユニットそれぞれの基準データとして記録しておく測定部であって、監視対象となった伝送路ユニットに属する前記光ファイバ伝送路へパルス試験光を出力し、該パルス試験光が伝搬する前記光ファイバ伝送路内で生じた後方散乱光を受光することで、該後方散乱光の強度の時間的変化データを取得していく測定部と、
前記測定部から出力されたパルス試験光を、前記監視部が監視対象とした伝送路ユニットに属する光ファイバ伝送路へ結合させる一方、前記パルス試験光が伝搬する前記光ファイバ伝送路内で生じた後方散乱光を前記測定部に結合させる光結合部と、
前記監視部により伝送異常が検出された伝送路ユニットにおける異常原因を判定する判定部であって、前記監視部により検出された伝送異常の状況、及び、前記測定部により取得された後方散乱光の強度の時間的変化データに基づいて、前記異常原因を判定する判定部と、
を備えた光伝送監視装置。
【請求項２】
請求項１記載の光伝送監視装置において、
前記光結合部は、
前記１又はそれ以上の伝送ユニットに属する前記光ファイバ伝送路上にそれぞれ配置された光合分波器であって、それぞれが、対応する光ファイバ伝送路を介して前記第1局及び前記第２局にそれぞれ光学的に接続された第1接続ポート及び第２接続ポートを有するとともに、前記対応する光ファイバ伝送路にパルス試験光を結合させる一方、そのパルス試験光が伝搬する前記対応する光ファイバ伝送路で生じた後方散乱光を取り出すための測定用ポートを有する光合分波器と、
前記１又はそれ以上の伝送路ユニットにそれぞれ属する前記光合分波器の測定用ポートの何れかと、前記測定部とを光学的に接続するためのスイッチ部と、を備え、
前記スイッチ部は、前記光合分波器の測定用ポートそれぞれに対応して設けられた第１入出力ポートと、前記測定部に光学的に接続された第２入出力ポートとを有する光スイッチと、前記第２入出力ポートを、前記第１入出力ポートのうち監視対象となった伝送路ユニットに属する前記光合分波器の測定用ポートに対応した第１入出力ポートに、光学的に接続させるための計測制御部を含む。
【請求項３】
請求項２記載の光伝送監視装置において、
前記光合分波器のそれぞれは、対応する第１局から出力される信号光の一部を取り出すための確認用ポートをさらに有し、
前記光スイッチは、前記光合分波器の確認用ポートそれぞれに対応して設けられた第３入出力ポートと、前記計測制御部により前記第３入出力ポートの何れかと光学的に接続される第４入出力ポートを有し、
前記スイッチ部は、前記第４入出力ポートに光学的に接続され、前記１又はそれ以上の伝送路ユニットにそれぞれ属する前記第１局の何れかからの信号光を検出する信号検出器を、さらに含む。
【請求項４】
請求項１〜３の何れか一項記載の光伝送監視装置において、
前記１又はそれ以上の伝送路ユニットのうち少なくとも何れかの伝送路ユニットは、前記第１局と、それぞれが前記第２局に相当する複数の端局と、前記第１局と前記複数の端局との間に配置されたスプリッタと、前記第１局と前記複数の端局との間に前記光スプリッタを介して敷設された、前記光ファイバ伝送路に相当する多分岐光ファイバ伝送路により構成され、
当該光伝送監視装置は、前記スプリッタが配置された前記多分岐光ファイバ伝送路に対し、前記第１局側から前記複数の端局側へ向けてパルス試験光を伝搬させて、その伝搬の際に生じる後方散乱光に基づいて前記第１局と前記複数の端局との間の光伝送を監視する。
【請求項５】
請求項４記載の光伝送監視装置において、
前記多分岐光ファイバ伝送路を含む伝送路ユニットにおいて、前記複数の端局の何れかと前記第１局との間の光伝送の開始に先立ち、前記測定部は、前記複数の端局の何れかから送信された信号光を前記第１局が受信した際に、前記多分岐光ファイバ伝送路内で発生した後方散乱光の強度の時間的変化データを取得し、
当該光伝送監視装置は、前記測定部により取得された後方散乱光の強度の時間的変化データに基づいて、前記多分岐光ファイバ伝送路の分岐経路のうち信号光を送信した端局に接続された分岐経路を確認した後に、前記第１局と前記信号光を送信した端局との間の光伝送を開始させる。
【請求項６】
請求項１〜３の何れか一項記載の光伝送監視装置において、
前記判定部は、伝送異常として光伝送の断状態が前記監視部により検出されたとき、伝送異常が検出された伝送路ユニットにおける異常原因として、前記第１局における信号光伝送機器の故障、前記第２局における信号光伝送機器の故障、前記光ファイバ伝送路の断線、及び、前記光ファイバ伝送路の損失異常、の何れであるかを判定する。
【請求項７】
請求項１〜３の何れか一項記載の光伝送監視装置において、
前記判定部は、伝送異常として光伝送におけるビットエラーレートが一定値以上であることが前記監視部により検出されたとき、伝送異常が検出された伝送路ユニットにおける異常原因として、前記第１局における信号光伝送機器の故障、前記第２局における信号光伝送機器の故障、及び、前記光ファイバ伝送路の損失異常、の何れであるかを判定する。
【請求項８】
請求項１〜３の何れか一項記載の光伝送監視装置において、
前記測定部は、伝送異常が検出された伝送路ユニットに属する光ファイバ伝送路に対して信号光の波長より長い波長のパルス試験光を出力し、
前記判定部は、伝送異常として光伝送の断状態が前記監視部により検出されたとき、伝送異常が検出された伝送路ユニットにおける異常原因として、前記第１局における信号光伝送機器の故障、前記第２局における信号光伝送機器の故障、前記光ファイバ伝送路の断線、前記光ファイバ伝送路の損失異常、及び、前記光ファイバ伝送路の偏波異常、の何れであるかを判定する。
【請求項９】
請求項１〜３の何れか一項記載の光伝送監視装置において、
前記測定部は、伝送異常が検出された伝送路ユニットに属する光ファイバ伝送路に対して信号光の波長より長い波長のパルス試験光を出力し、
前記判定部は、伝送異常として光伝送におけるビットエラーレートが一定値以上であることが前記監視部により検出されたとき、伝送異常が検出された伝送路ユニットにおける異常原因として、前記第１局における信号光伝送機器の故障、前記第２局における信号光伝送機器の故障、前記光ファイバ伝送路の損失異常、及び、前記光ファイバ伝送路の偏波異常、の何れであるかを判定する。
【請求項１０】
請求項１〜３の何れか一項記載の光伝送監視装置は、さらに、
前記１又はそれ以上の伝送路ユニットにそれぞれ属する第１局から出力された信号光のうち、前記光結合部により取り出された一部のパワーを測定する光パワーメータを備え、
前記判定部は、前記監視部により検出された伝送異常の状況、前記測定部により測定された後方散乱光の強度の時間的変化データ、及び、前記光パワーメータによる測定結果に基づいて、伝送異常が検出された伝送路ユニットにおける異常原因を判定する。
【発明の詳細な説明】
【技術分野】
【０００１】
本発明は、第１局と第２局との間に敷設された光ファイバ伝送路にパルス試験光を伝搬させて、該パルス試験光の伝搬の際に生じる後方散乱光に基づいて該第1局と第2局間で行われる光伝送を監視する装置に関するものである。
【背景技術】
【０００２】
光ファイバ伝送システムは、第１局（例えば基地局）と第２局（例えば加入者宅）との間に敷設された光ファイバ伝送路を介して信号光の送受信を行う。その中でも、第１局と複数の第２局とがスプリッタを介して光ファイバ伝送路により接続されたシステムはＰＯＮ（Passive Optical Network）システムと呼ばれる。このような光ファイバ伝送システムにおいては、光ファイバ伝送路の状態を監視することが重要であり、また、第１局および第２局それぞれに設けられた信号光伝送機器を監視することも重要である。【０００３】
特許文献１には、光ファイバ伝送システムにおいて何等かの伝送異常が生じた際の原因を特定することを意図した発明が開示されている。この特許文献１に開示された発明では、複数本の光ファイバ伝送路に対して１つの光スイッチ及び１つの光伝送監視装置が設けられ、複数本の光ファイバ伝送路それぞれが順次に光スイッチを介して光伝送監視装置に光学的接続される。すなわち、複数本の光ファイバ伝送路それぞれが順次光伝送監視装置により監視される。
【先行技術文献】
【特許文献】
【０００４】
【特許文献１】特開平５−１９９１９１号公報
【発明の概要】
【発明が解決しようとする課題】
【０００５】
発明者らは、従来の光伝送監視装置を詳細に検討した結果、以下のような課題を発見した。すなわち、上記特許文献１に開示された発明では、複数本の光ファイバ伝送路のうちの何れかの光ファイバ伝送路において伝送異常が生じた場合、その異常が生じた光ファイバ伝送路を特定し、さらに係る伝送異常の原因を判定するには、長い時間を要する場合がある。例えば、伝送路が２０００本の光ファイバ伝送路で構成されるとともに、１本の光ファイバ伝送路の試験に１分間を要すると仮定したとき、２０００本の光ファイバ伝送路のうちの或る光ファイバ伝送路において伝送異常が生じてから、その光ファイバ伝送路について試験を行うまでに、最悪の場合で２０００分間（３３.３時間）も要することになり、リアルタイム性が欠如している。【０００６】
また、光伝送システムのユーザ（例えば第２局である加入者宅のユーザ）からの異常報告を受けた後に、その第２局に至る光ファイバ伝送路について試験を実施することも考えられる。しかしながら、その場合、受身の光伝送システムの維持活動となって、ユーザからの異常報告への対応やシステムの保守に時間と費用を要する。【０００７】
本発明は、上述のような課題を解決するためになされたものであり、第１局から第２局に至る、光ファイバ伝送路を含む信号光の伝搬経路における伝送異常が生じた場合に早期にその異常原因を判定することを可能にするための構造を備えた光伝送監視装置を提供することを目的とする。
【課題を解決するための手段】
【０００８】
本発明に係る光伝送監視装置は、１又はそれ以上の伝送路ユニットのうち監視対象となった伝送路ユニットにパルス試験光を伝搬させ、そのパルス試験光の伝搬の際に生じる後方散乱光に基づいて、監視対象における光伝送を監視する。ここで、１又はそれ以上の伝送ユニットそれぞれは、第１局と、第２局と、第１局と第２局との間に敷設された光ファイバ伝送路により構成されている。このような１又はそれ以上の伝送路ユニットそれぞれを監視対象候補とする当該光伝送監視装置は、監視部と、測定部と、光結合部と、判定部を備える。【０００９】
具体的に、監視部は、１又はそれ以上の伝送路ユニットそれぞれの光伝送状態を監視すべく、何れかの伝送路ユニットを監視対象として特定する。その際、監視部は、監視対象となった伝送路ユニットに属する第１局における信号光の送信又は受信の状況に基づいて、この監視対象における伝送異常の有無を検出する。測定部は、１又はそれ以上の伝送路ユニットのうち監視部が監視対象とした伝送ユニットから得られる測定データを、これら１又はそれ以上の伝送路ユニットそれぞれの基準データとして記録しておく。その際、測定部は、監視対象となった伝送路ユニットに属する光ファイバ伝送路へパルス試験光を出力し、該パルス試験光が伝搬する光ファイバ伝送路内で生じた後方散乱光を受光することで、該後方散乱光の強度の時間的変化データを取得していく。光結合部は、測定部から出力されたパルス試験光を、監視部が監視対象とした伝送路ユニットに属する光ファイバ伝送路へ結合させる一方、パルス試験光が伝搬する光ファイバ伝送路内で生じた後方散乱光を測定部に結合させる。判定部は、監視部により伝送異常が検出された伝送路ユニットにおける異常原因を判定する。また、この異常原因の判定は、監視部により検出された伝送異常の状況、及び、前記測定部により取得された後方散乱光の強度の時間的変化データに基づいて行われる。【００１０】
なお、監視すべき伝送異常には、第１局と第２局の間において信号光が伝搬できない状況（以下、伝送断という）や、信号光のビットエラーレートの増加などが含まれる。また、このような伝送異常の原因には、第１局側及び第２局側の少なくとも何れかにおける送信器異常や受信器異常などの機器異常、光ファイバ伝送路の断線、光ファイバ伝送路における損失異常、偏波異常等の特性異常などが含まれる。【００１１】
本発明に係る光伝送監視装置において光結合部は、１又はそれ以上の伝送路ユニットに対応して設けられた光合分波器と、スイッチ部を備える。【００１２】
光合分波器それぞれは、対応する光ファイバ伝送路を介して第1局及び第２局にそれぞれ光学的に接続された第1接続ポート及び第２接続ポートを有するとともに、対応する光ファイバ伝送路にパルス試験光を結合させる一方、そのパルス試験光が伝搬する対応する光ファイバ伝送路で生じた後方散乱光を取り出すための測定用ポートを有する。また、スイッチ部は、１又はそれ以上の伝送路ユニットにそれぞれ属する光合分波器の測定用ポートの何れかと、測定部とを光学的に接続する構造を有し、この構造は、光スイッチ、計測制御部により実現される。ここで、光スイッチは、光合分波器の測定用ポートそれぞれに対応して設けられた第１入出力ポートと、測定部に光学的に接続された第２入出力ポートを有する。計測制御部は、第２入出力ポートを、第１入出力ポートのうち監視対象となった伝送路ユニットに属する光合分波器の測定用ポートに対応した第１入出力ポートに、光学的に接続させる。【００１３】
上述のような構造を有する光結合部において、計測制御部は、予め用意された第１局の配線情報（第１局と光ファイバ伝送路との対応関係を示す情報）と、光スイッチ配線情報（光ファイバ伝送路と光スイッチの接続ポートとの対応関係を示す情報）とに基づいて、光スイッチにおけるポート切り替えを行う。しかしながら、この計測制御部におけるポート切り替えの正確性は、予め用意される配線情報の正確性に依存している。すなわち、用意された配線情報自体が誤っていた場合、監視部により伝送異常が検出された第１局に対応する光ファイバ伝送路とは異なる、別の伝送路ユニットに属する光ファイバ伝送路に測定部からのパルス試験光が送信される可能性がある。そこで、本発明に係る光伝送監視装置は、第１局と第２局との間の光伝送開始に先立ち、１つの伝送路ユニットを構成する第１局、光結合部の測定用ポート、及び光ファイバ伝送路の対応関係を自動構築する構造を備えてもよい。【００１４】
具体的には、上述のような構造を有する光結合部を改良することにより実現可能である。例えば、光合分波器のそれぞれは、対応する第１局から出力される信号光の一部を取り出すための確認用ポートをさらに有する。光スイッチは、光合分波器の確認用ポートそれぞれに対応して設けられた第３入出力ポートと、計測制御部により第３入出力ポートの何れかと光学的に接続される第４入出力ポートを有する。そして、当該スイッチ部は、第４入出力ポートに光学的に接続され、１又はそれ以上の伝送路ユニットにそれぞれ属する第１局の何れかからの信号光を検出する信号検出器を、さらに含む。【００１５】
この構成によれば、光スイッチの第１入出力ポートは光合分波器の測定用ポートにそれぞれ接続され、第２入出力ポートは測定部に接続され、第３入出力ポートは光合分波器の確認用ポートにそれぞれ接続され、第４入出力ポートは信号検出器に接続される。光スイッチにおける第１及び第３入出力ポートの対応は既知であるため、信号検出器の検出結果に基づいて、信号を送信した第１局を特定すれば、１つの伝送路ユニットを構成する第１局、光合分波器の測定用ポート、及び光ファイバ伝送路の対応関係を自動構築できる。【００１６】
さらに、本発明に係る光伝送監視装置において、１又はそれ以上の伝送路ユニットのうち少なくとも何れかの伝送路ユニットの信号光伝搬経路は、多分岐構造を有してもよい。具体的には、１つの伝送路ユニットが、第１局と、それぞれが第２局に相当する複数の端局と、第１局と複数の端局との間に配置されたスプリッタと、第１局と複数の端局との間に光スプリッタを介して敷設された、光ファイバ伝送路に相当する多分岐光ファイバ伝送路により構成される。この場合、当該光伝送監視装置は、スプリッタが配置された多分岐光ファイバ伝送路に対し、第１局側から複数の端局側へ向けてパルス試験光を伝搬させて、その伝搬の際に生じる後方散乱光に基づいて第１局と複数の端局との間の光伝送を監視する。【００１７】
また、上述の多分岐光ファイバ伝送路を含む伝送路ユニットにおいて、複数の端局の何れかと第１局との間の光伝送の開始に先立ち、測定部は、複数の端局の何れかから送信された信号光を第１局が受信した際に、多分岐光ファイバ伝送路内で発生した後方散乱光の強度の時間的変化データを取得するのが好ましい。当該光伝送監視装置は、測定部により取得された後方散乱光の強度の時間的変化データに基づいて、多分岐光ファイバ伝送路の分岐経路のうち信号光を送信した端局に接続された分岐経路を確認した後に、第１局と信号光を送信した端局との間の光伝送を開始させる。【００１８】
上述のような構造を備えた光伝送監視装置（本発明に係る光伝送監視装置）において、判定部は、伝送異常として光伝送の断状態が監視部により検出されたとき、伝送異常が検出された伝送路ユニットにおける異常原因として、第１局における信号光伝送機器の故障、第２局における信号光伝送機器の故障、光ファイバ伝送路の断線、及び、光ファイバ伝送路の損失異常、の何れであるかを判定する。【００１９】
判定部は、伝送異常として光伝送におけるビットエラーレートが一定値以上であることが監視部により検出されたとき、伝送異常が検出された伝送路ユニットにおける異常原因として、第１局における信号光伝送機器の故障、第２局における信号光伝送機器の故障、及び、光ファイバ伝送路の損失異常、の何れであるかを判定してもよい。【００２０】
なお、測定部は、伝送異常が検出された伝送路ユニットに属する光ファイバ伝送路に対して信号光の波長より長い波長のパルス試験光を出力するのが好ましい。この場合、判定部は、伝送異常として光伝送の断状態が監視部により検出されたとき、伝送異常が検出された伝送路ユニットにおける異常原因として、第１局における信号光伝送機器の故障、第２局における信号光伝送機器の故障、光ファイバ伝送路の断線、光ファイバ伝送路の損失異常、及び、光ファイバ伝送路の偏波異常、の何れであるかを判定してもよい。また、判定部は、伝送異常として光伝送におけるビットエラーレートが一定値以上であることが監視部により検出されたとき、伝送異常が検出された伝送路ユニットにおける異常原因として、第１局における信号光伝送機器の故障、第２局における信号光伝送機器の故障、光ファイバ伝送路の損失異常、及び、光ファイバ伝送路の偏波異常、の何れであるかを判定してもよい。【００２１】
さらに、本発明に係る光伝送監視装置は、１又はそれ以上の伝送路ユニットにそれぞれ属する第１局から出力された信号光のうち、光結合部により取り出された一部のパワーを測定する光パワーメータを、さらに備えてもよい。この構成において、判定部は、監視部により検出された伝送異常の状況、測定部により測定された後方散乱光の強度の時間的変化データ、及び、光パワーメータによる測定結果に基づいて、測定対象となった伝送路ユニットにおける異常原因を判定する。
【発明の効果】
【００２２】
本発明に係る光伝送監視装置よれば、監視対象である１又はそれ以上の伝送路ユニットそれぞれにおける伝送異常が生じた場合に、早期にその伝送異常の原因判定が可能になる。
【図面の簡単な説明】
【００２３】
【図１】は、第１実施形態に係る光伝送監視装置を含む光伝送システムの構成を示す図である。
【００２４】
【図２】は、第１実施形態に係る光伝送監視装置に含まれる判定部における判定動作について説明するためのフローチャートである（その１）。
【００２５】
【図３】は、第１実施形態に係る光伝送監視装置に含まれる判定部における判定動作について説明するためのフローチャートである（その２）。
【００２６】
【図４】は、第１実施形態に係る光伝送監視装置に含まれる判定部における判定動作について説明するためのフローチャートである（その３）。
【００２７】
【図５】は、第１実施形態に係る光伝送監視装置に含まれる判定部における判定動作について説明するためのフローチャートである（その４）。
【００２８】
【図６】は、第２実施形態に係る光伝送監視装置を含む光伝送システムの構成を示す図である。
【００２９】
【図７】は、第３実施形態に係る光伝送監視装置を含む光伝送システムの構成を示す図である。
【００３０】
【図８】は、第４実施形態に係る光伝送監視装置における光結合部周辺の構成を示す図である。
【００３１】
【図９】は、第４実施形態に係る光伝送監視装置を含む光伝送システムの構成を示す図である。
【００３２】
【図１０】は、図９に示された光伝送システムにおけるＯＬＴ−光ＳＷ情報管理部の論理構造を説明するための図である。
【００３３】
【図１１】は、第５実施形態に係る光伝送監視装置における光結合部周辺の構成を示す図である。
【００３４】
【図１２】は、第６実施形態に係る光伝送監視装置における光結合部周辺の構成を示す図である。
【００３５】
【図１３】は、第７実施形態に係る光伝送監視装置における判定部周辺の構成を示す図、及び通信状況管理部の論理構造を説明するための図である。
【発明を実施するための形態】
【００３６】
以下、本発明に係る光伝送監視装置の各実施形態を、図１〜図１３を参照しながら、詳細に説明する。なお、図面の説明において同一部位・同一要素には同一符号を付して重複する説明を省略する。
【００３７】
（第１実施形態）
図１は、第１実施形態に係る光伝送監視装置を含む光伝送システムの構成を示す図である。図１に示された光伝送システム１Ａは、それぞれが同じ構造を有するＮ（１以上の整数：１、２、…、ｎ、…）個の伝送路ユニットと、当該第１実施形態に係る光伝送監視装置２Ａを備える。なお、Ｎは２０００程度の値である場合がある。例えば、ｎ番目の伝送ユニットは、図１に示されたように、第１局１１ｎと、第２局１２ｎと、第１局１１ｎと第２局１２ｎとの間に敷設された光ファイバ伝送路１３ｎにより構成され、光ファイバ伝送路１３ｎを介して第１局１１ｎと第２局１２ｎとの間で光伝送が行われる。この第１実施形態に係る光伝送監視装置２Ａは、Ｎ個の伝送路ユニットのうち監視対象となった伝送路ユニットそれぞれにおける光伝送を監視する。
【００３８】
なお、以下の各実施形態に関する説明では、Ｎ個の伝送路ユニットそれぞれに属する同一構成要素を表す場合には、参照番号の添え字に「Ｎ」を用い、特定の伝送路ユニット、例えば、ｎ番目の伝送路ユニットに属する構成要素だけを表す場合には、参照番号の添え字に「ｎ」を用いる。具体的には、「第１局１１Ｎ」、「第２局１２Ｎ」、「光ファイバ伝送路１３Ｎ」は、Ｎ個の伝送路ユニットそれぞれに属する全第１局、全第２局、全光ファイバ伝送路を示す。
【００３９】
Ｎ個の伝送路ユニットそれぞれにおいて、光ファイバ伝送路１３Ｎ上であって第２局１２Ｎ側（又は第２局１２Ｎの直前）には、光フィルタ１４Ｎが設けられている。また、光ファイバ伝送路１３Ｎ上であって第１局１１Ｎ側には、光合分波器１５Ｎが設けられている。この光合分波器１５Ｎは、当該第１実施形態に係る光伝送監視装置２Ａにおける光結合部の一部を構成するとともに、光ファイバ伝送路１３Ｎを介して第１局１１Ｎと光学的に接続される第１接続ポート１５ａと、光ファイバ伝送路１３Ｎを介して第２局１２Ｎと光学的に接続される第２接続ポート１５ｂと、光ファイバ伝送路１３Ｎにパルス試験光を導入するための測定用ポート１５ｃを有する。
【００４０】
この第１実施形態に係る光伝送監視装置２Ａは、Ｎ個の伝送路ユニット全てを監視対象候補とし、例えばｎ番目の伝送路ユニットにおいて伝送異常が検出された場合、該ｎ番目の伝送路ユニットにおける異常原因を判定する。そのため、当該光伝送監視装置２Ａは、光スイッチ２０Ａ、測定装置３０及び光伝送異常判定装置５０を備える。光伝送異常判定装置５０は、光伝送監視部５１、計測制御部５２、光伝送路試験部５３、試験データ管理部５４、配線情報管理部５５、光スイッチ配線情報管理部５６及び判定部５７を含む。なお、光スイッチ２０Ａと計測制御部５２は、スイッチ部を構成する。
【００４１】
光伝送監視部５１は、第１局１１Ｎそれぞれにおける信号光の送信又は受信の状況に基づいて、Ｎ個の伝送路ユニットそれぞれにおける伝送状態を検出する監視部を構成する。測定装置３０、計測制御部５２及び光伝送路試験部５３は、Ｎ個の伝送路ユニットのうち光伝送監視部５１が監視対象とした伝送ユニットから得られる測定データを、これらＮ個の伝送路ユニットそれぞれの基準データとして記録しておく測定部を構成する。この測定部は、例えばｎ番目の伝送路ユニットが監視対象となったとき、該ｎ番目の伝送路ユニットに属する光ファイバ伝送路１３ｎに伝搬させるべきパルス試験光を出力する一方、該光ファイバ伝送路１３ｎで生じた後方散乱光を受光することで、該後方散乱光の強度の時間的変化データを取得していく。なお、計測制御部５２及び光スイッチ２０Ａは、測定部から出力されたパルス試験光を光ファイバ伝送路１３Ｎそれぞれへ結合する一方、光ファイバ伝送路１３Ｎそれぞれで生じた後方散乱光を測定装置３０へ結合するスイッチ部を構成する。また、このスイッチ部及び上述の光合分波器１５Ｎは、光結合部を構成する。
【００４２】
第１局１１Ｎは、対応する光ファイバ伝送路１３Ｎに第２局１２Ｎが接続された旨を検知し、その検知結果を光伝送監視部５１へ通知する。また、第１局１１Ｎは、第２局１２Ｎとの間の伝送異常（光伝送が断状態となること、又は、光伝送におけるビットエラーレートが一定値以上となること）を検知し、その検知結果を光伝送監視部５１へ通知する。なお、光ファイバ伝送路１３Ｎに接続された第２局１２Ｎは、光ファイバ伝送路１３Ｎに接続されると、その旨を第１局１１Ｎへ光ファイバ伝送路１３Ｎを介して通知する。光伝送監視部５１は、第１局１１Ｎの何れかから上述のような通知を受けることにより、該通知した第１局、例えば第１局１１ｎが属するｎ番目の伝送路ユニットを監視対象として特定する。
【００４３】
光スイッチ２０Ａは、光合分波器１５Ｎそれぞれに接続された第１入出力ポート２１０と、測定装置３０に接続された第２入出力ポート２２０を有する。この光スイッチ２０Ａにおける第１入出力ポートと第２入出力ポートの接続は、計測制御部５２により制御されて、光合分波器１５Ｎのうち選択された何れかと測定装置３０とが互いに光学的に接続される。
【００４４】
測定装置３０は、光ファイバ伝送路１３Ｎに伝搬させるべきパルス試験光を出力する一方、光ファイバ伝送路１３Ｎで生じた後方散乱光を受光することで、後方散乱光の強度の時間的変化データを取得する。測定装置３０は、好適にはＯＴＤＲ（Optical Time Domain Reflectometry）を利用した装置である。
【００４５】
測定装置３０から出力されるパルス試験光の波長は、第１局１１Ｎと第２局１２Ｎとの間で送受信される信号光の波長と異なり、また、光ファイバ伝送路１３Ｎに曲げが経時的に増大する状況をより早期に察知するため、信号光の波長より長く、曲げによる損失増加がより生じやすい波長とするのが好適である。例えば、ＩＴＵ−Ｔ  Ｇ．６２５のシングルモード光ファイバに対しては、曲げ半径１５ｍｍの場合、波長１.３１μｍにおける曲げ損失が２.３３×１０−２ｄＢ／ｍ程度であり、波長１.５５μｍにおける曲げ損失が１.４５ｄＢ／ｍ程度であり、波長１.６５μｍにおける曲げ損失が４.７７ｄＢ／ｍ程度である。したがって、波長１.３１μｍではＯＴＤＲの損失測定精度０．０１ｄＢよりも小さく検知できない曲げ損失増加量であっても、より長波長のパルス試験光を用いることにより、光ファイバ伝送路１３Ｎの曲げ損失を感度よく検出することができる。例えば、信号光波長が１．４９μｍの場合には、パルス試験光の波長はそれよりも１００ｎｍ以上長い１．６５μｍとするのが好ましい。
【００４６】
光ファイバ伝送路１３Ｎ上に設けられた光合分波器１５Ｎは、測定装置３０から出力されたパルス試験光を光ファイバ伝送路１３Ｎへ結合し、光ファイバ伝送路１３Ｎで生じた後方散乱光を測定装置３０へ結合する。そのため、光合分波器１５Ｎは、上述のように、第１接続ポート１５ａ、第２接続ポート１５ｂ、測定用ポート１５ｃを少なくとも有する。
【００４７】
光ファイバ伝送路１３Ｎ上に設けられた光フィルタ１４Ｎは、測定装置３０から出力されたパルス試験光を選択的に反射させ、第１局１１Ｎと第２局１２Ｎとの間で送受信される信号光を選択的に透過させる。光フィルタ１４Ｎにおけるパルス試験光の反射は、光ファイバの端面におけるパルス試験光の反射と比べて有意に高いことが望ましく、かつ、第２局１２Ｎへのパルス試験光の入射を実質的に遮断することが望ましい。
【００４８】
光伝送監視部５１は、第１局１１Ｎそれぞれおける信号光の送信又は受信の状況に基づいて伝送異常の有無を検出する。より具体的には、光伝送監視部５１は、第１局１１Ｎが光ファイバ伝送路１３Ｎを介して第２局１２Ｎと接続されて異常無く光伝送が可能であるときには、第１局１１Ｎ及び第２局１２Ｎそれぞれの識別情報、第１局１１Ｎ及び第２局１２Ｎそれぞれの送受信パワー規格情報、ならびに、第１局１１Ｎにおける第２局１２Ｎからの実際の信号光受信パワーを、第２局接続信号として第１局１１Ｎから取得して、この第２局接続信号を判定部５７へ送信する。
【００４９】
一方、光伝送監視部５１は、第１局１１Ｎのうち、例えば、ｎ番目の伝送路ユニットに属する第１局１１ｎから光伝送が断状態となった旨の通知を受けた際には、その通知とともに、光伝送が断状態となった第１局１１ｎ及び第２局１２ｎそれぞれの識別情報、第１局１１ｎの実際の信号光送信パワー、ならびに、第１局１１ｎにおける第２局１２ｎからの実際の信号光受信パワーを、光伝送断信号として第１局１１ｎから取得して、この光伝送断信号を判定部５７へ送信する。
【００５０】
また、光伝送監視部５１は、ｎ番目の伝送路ユニットに属する第１局１１ｎから光伝送におけるビットエラーレート（以下「ＢＥＲ」という）が一定値以上となった旨の通知を受けた際には、その通知とともに、ＢＥＲ異常となった第１局１１ｎ及び第２局１２ｎそれぞれの識別情報、第１局１１ｎの実際の信号光送信パワー、ならびに、第１局１１ｎにおける第２局１２ｎからの実際の信号光受信パワーを、光伝送ＢＥＲ異常信号として第１局１１ｎから取得して、この光伝送ＢＥＲ異常信号を判定部５７へ送信する。
【００５１】
計測制御部５２は、光伝送路試験部５３からの指示に基づいて、光スイッチ２０Ａ及び測定装置３０それぞれを制御する。この計測制御部５２の制御により、ｎ番目の伝送路ユニット（監視対象）に属する光ファイバ伝送路１３ｎに測定装置３０からのパルス試験光が導入され、さらに、測定装置３０は、光ファイバ伝送路１３ｎ内で発生する後方散乱光の強度の時間的変化データを取得する。
【００５２】
なお、試験データ管理部５４は、Ｎ個の伝送路ユニットのうち監視対象となった伝送路ユニットそれぞれについて、測定装置３０が取得された後方散乱光の強度の時間的変化データに基づいて、その時間的変化データ中の光フィルタ１４Ｎにおけるパルス試験光の反射の位置及び強度の情報（測定データ）を、第２局１２Ｎそれぞれに関する基準データとして記憶し管理している。また、ＯＬＴ配線情報管理部５５は、第１局１１Ｎと光ファイバ伝送路１３Ｎとの接続関係について記憶し管理している。光ＳＷ配線情報管理部５６は、光スイッチ２０Ａの各ポートと光ファイバ伝送路１３Ｎとの接続関係について記憶し管理している。
【００５３】
光伝送路試験部５３は、試験命令を判定部５７から受け取る。この試験命令は、第２局接続信号（第１局−第２局間における光伝送の開始を通知する信号）、光伝送断信号又は光伝送ＢＥＲ異常信号（伝送異常を通知する信号）を含み、また、第１局１１Ｎ及び第２局１２Ｎのうち信号を通知した第１局１１ｎ及び第２局１２ｎ（監視対象となるｎ番目の伝送路ユニットに属する）それぞれの識別情報を含む。光伝送路試験部５３は、この試験命令を受け取ると、ＯＬＴ配線情報管理部５５及び光ＳＷ配線情報管理部５６それぞれにより管理されている情報に基づいて、計測制御部５２へ試験開始を指示する。
【００５４】
なお、監視対象として例えばｎ番目の伝送路ユニットが特定された場合、計測制御部５２は、試験すべき光ファイバ伝送路１３ｎへ測定装置３０からパルス試験光が導入されるように光スイッチ２０Ａにおけるポート切り替えを制御するとともに、出力されたパルス試験光に起因して発生した後方散乱光の強度の時間的変化データを取得するように測定装置３０を制御する。そして、光伝送路試験部５３は、計測制御部５２から出力された後方散乱光の強度の時間的変化データに基づいて、光フィルタ１４ｎによるパルス試験光の反射の有無や位置を解析する。
【００５５】
光伝送路試験部５３は、監視対象となったｎ番目の伝送路ユニットに関して、第２局接続信号を判定部５７から受け取ったときには、光フィルタ１４ｎによるパルス試験光の反射の位置及び強度を、第１局１１ｎ及び第２局１２ｎに関連付けて、基準データとして試験データ管理部５４に記憶させる。
【００５６】
一方、光伝送路試験部５３は、監視対象となったｎ番目の伝送路ユニットに関して、光伝送断信号又は光伝送ＢＥＲ異常信号を判定部５７から受け取ったときには、試験データ管理部５４に記憶されている基準データを取得して、光フィルタ１４ｎによるパルス試験光の反射が基準データの位置に有るか否かを調べる。光伝送路試験部５３は、光フィルタ１４ｎによるパルス試験光の反射が基準データの位置に有る場合には、光ファイバ伝送路１３ｎの伝送開始時からの伝送損失の増分量を求める。そして、光伝送路試験部５３は、これらの結果を判定部５７に通知する。
【００５７】
判定部５７は、上述の動作を経て、第２局接続信号、光伝送断信号又は光伝送ＢＥＲ異常信号を光伝送監視部５１から受け取る。
【００５８】
判定部５７は、監視対象となったｎ番目の伝送路ユニットに関して、第２局接続信号を光伝送監視部５１から受け取ったときには、第１局１１ｎの受信パワー規格情報と、第１局１１ｎにおける第２局１２ｎからの実際の信号光受信パワーとの差から、光ファイバ伝送路１３ｎの伝送損失マージンを求め、光ファイバ伝送路１３ｎにより接続された第１局１１ｎ及び第２局１２ｎのネットワーク情報として伝送損失マージンを記憶する。また、判定部５７は、第１局１１ｎ及び第２局１２ｎそれぞれの識別情報を光伝送路試験部５３に通知して光ファイバ伝送路１３ｎについての試験命令を下す。
【００５９】
一方、判定部５７は、監視対象となったｎ番目の伝送路ユニットに関して、光伝送断信号又は光伝送ＢＥＲ異常信号を光伝送監視部５１から受け取ったときには、第１局１１ｎ及び第２局１２ｎそれぞれの識別情報、第１局１１ｎの実際の信号光送信パワー、第１局１１ｎにおける第２局１２ｎからの実際の信号光受信パワー、及び、光伝送路試験部５３による試験の結果に基づいて、第１局１１ｎもしくは第２局１２ｎの伝送機器の異常であるのか、又は、光ファイバ伝送路１３ｎの異常であるのか、の故障原因の切り分けを行う。
【００６０】
次に、一例として、Ｎ個の伝送路ユニットのうち監視対象となったｎ番目の伝送路ユニットに関して、光伝送断信号又は光伝送ＢＥＲ異常信号を受け取ったときの判定部５７における判定動作について、図２〜図５を用いて説明する。なお、図２〜図５それぞれは、第１実施形態に係る光伝送監視装置２Ａに含まれる判定部５７における判定動作について説明するためのフローチャートである。具体的に図２は、光伝送断信号を受け取ったときの判定部５７における判定動作について説明するためのフローチャートである。図３は、光伝送ＢＥＲ異常信号を受け取ったときの判定部５７における判定動作について説明するためのフローチャートである。図４は、特にパルス試験光の波長が信号光の波長より１００ｎｍ以上長い場合において光伝送断信号を受け取ったときの判定部５７における判定動作について説明するためのフローチャートである。また、図５は、特にパルス試験光の波長が信号光の波長より１００ｎｍ以上長い場合において光伝送ＢＥＲ異常信号を受け取ったときの判定部５７における判定動作について説明するためのフローチャートである。
【００６１】
光伝送断信号を受け取ったときの判定部５７における判定動作は、図２に示されたように、先ずステップＳ１１において、第１局１１ｎの伝送機器の実際の信号光送信パワーが送信規格未満であれば、第１局１１ｎの伝送機器が故障していると判定される。続くステップＳ１２において、光フィルタ１４ｎによるパルス試験光の反射が所定位置に無ければ、光ファイバ伝送路１３ｎが断線していると判定される。続くステップＳ１３において、光ファイバ伝送路１３ｎの伝送開始時からの全体伝送損失の増分量が伝送損失マージン以上であれば、光ファイバ伝送路１３ｎが損失異常であると判定される。そして、続くステップＳ１４において、第１局１１ｎにおける第２局１２ｎからの実際の信号光受信パワーが第１局１１ｎの受信規格内であれば、第１局１１ｎの伝送機器が故障していると判定され、そうでなければ、第２局１２ｎの伝送機器が故障していると判定される。
【００６２】
光伝送ＢＥＲ異常信号を受け取ったときの判定部５７における判定動作は、図３に示されたように、先ずステップＳ２３において、光ファイバ伝送路１３ｎの伝送開始時からの全体伝送損失の増分量が伝送損失マージン以上であれば、光ファイバ伝送路１３ｎが損失異常であると判定される。そして、続くステップＳ２４において、第１局１１ｎにおける第２局１２ｎからの実際の信号光受信パワーが第１局１１ｎの受信規格内であれば、第１局１１ｎの伝送機器が故障していると判定され、そうでなければ、第２局１２ｎの伝送機器が故障していると判定される。
【００６３】
なお、第１局１１ｎの伝送機器からの送信パワーは、伝送異常時に伝送機器で送信パワーを測ることで得られる。光ファイバ伝送路１３ｎの全体損失の増分量は、伝送開始時と伝送異常時とで光フィルタ１４ｎでの反射のピークの差から得られる。伝送損失マージンは、伝送開始時に第２局１２ｎの伝送機器で受信パワーを測り、同値と同機器の受信規格との差から得られた値としてもよく、あるいは、予め設定した値であってもよい。また、第２局１２ｎからの実際の信号光受信パワーは、伝送異常時に第１局１１ｎの伝送機器で受信パワーを測ることで得られる。
【００６４】
パルス試験光の波長が信号光の波長より１００ｎｍ以上長い場合において光伝送断信号を受け取ったときの判定部５７における判定動作として、図４に示されたように、図２の動作（ステップＳ１１〜Ｓ１４）に対応する動作であってステップＳ１３に替えてステップＳ１３Ａ含む動作（ステップＳ１１、１２、１３Ａ、Ｓ１４）が実行され、また、ステップＳ１５〜Ｓ１７が実行される。ステップＳ１３Ａにおいて、光ファイバ伝送路１３ｎの全体伝送損失が伝送開始時から増加していれば、ステップＳ１５に進む。ステップＳ１５において、第１局１１ｎにおける第２局１２ｎからの実際の信号光受信パワーと光ファイバ伝送路１３ｎの全体伝送損失（信号光波長換算値）との加算値が第２局１２ｎの送信規格未満であれば、第２局１２ｎの伝送機器が故障していると判定される。続くステップＳ１６において、第１局１１ｎにおける第２局１２ｎからの実際の信号光受信パワーが第１局１１ｎの受信規格内であれば、第１局１１ｎの伝送機器が故障していると判定される。そして、続くステップＳ１７において、光ファイバ伝送路１３ｎの伝送開始時からの全体伝送損失の増分量（信号光波長換算値）が伝送損失マージン以上であれば、光ファイバ伝送路１３ｎが損失異常であると判定され、そうでなければ、光ファイバ伝送路１３ｎが偏波異常であると判定される。
【００６５】
特にパルス試験光の波長が信号光の波長より１００ｎｍ以上長い場合において光伝送ＢＥＲ異常信号を受け取ったときの判定部５７における判定動作として、図５に示されたように、図４の動作（ステップＳ１３Ａ、Ｓ１４）に相当する動作（ステップＳ２３Ａ、Ｓ２４）が実行され、また、ステップＳ２５〜Ｓ２７が実行される。ステップＳ２３Ａにおいて、光ファイバ伝送路１３ｎの全体伝送損失が伝送開始時から増加していれば、ステップＳ２５に進む。ステップＳ２５において、第１局１１ｎにおける第２局１２ｎからの実際の信号光受信パワーと光ファイバ伝送路１３ｎの全体伝送損失（信号光波長換算値）との加算値が第２局１２ｎの送信規格未満であれば、第２局１２ｎの伝送機器が故障していると判定される。続くステップＳ２６において、第１局１１ｎにおける第２局１２ｎからの実際の信号光受信パワーが第１局１１ｎの受信規格内であれば、第１局１１ｎの伝送機器が故障していると判定される。そして、続くステップＳ２７において、光ファイバ伝送路１３ｎの伝送開始時からの全体伝送損失の増分量（信号光波長換算値）が伝送損失マージン以上であれば、光ファイバ伝送路１３ｎが損失異常であると判定され、そうでなければ、光ファイバ伝送路１３ｎが偏波異常であると判定される。
【００６６】
以上のように、この第１本実施形態に係る光伝送監視装置２Ａは、光ファイバ伝送路における伝送異常（光伝送断又は光伝送ＢＥＲ異常）が生じた場合に早期にその異常原因を判定することができる。
【００６７】
（第２実施形態）
図６は、第２実施形態に係る光伝送監視装置２Ｂを含む光伝送システム１Ｂの構成を示す図である。この図６に示された光伝送監視装置２Ｂは、光伝送システム１Ｂにおける光伝送を監視する。光伝送システム１Ｂも、それぞれが同じ構造を有するＮ（１以上の整数：１、２、…、ｎ、…）個の伝送路ユニットと、当該第２実施形態に係る光伝送監視装置２Ｂを備える。例えば、ｎ番目の伝送ユニットは、図６に示されたように、第１局１１ｎと、第２局１２ｎと、第１局１１ｎと第２局１２ｎとの間に敷設された光ファイバ伝送路１３ｎにより構成され、光ファイバ伝送路１３ｎを介して第１局１１ｎと第２局１２ｎとの間で光伝送が行われる。この第２実施形態に係る光伝送監視装置２Ｂも、Ｎ個の伝送路ユニットのうち監視対象となった伝送路ユニットそれぞれにおける光伝送を順次監視する。
は、第１局１１Ｎと第２局１２Ｎとの間に敷設された光ファイバ伝送路１３Ｎにより信号光を送受信する。
【００６８】
Ｎ個の伝送路ユニットそれぞれにおいて、光ファイバ伝送路１３Ｎ上であって第２局１２Ｎ側（又は第２局１２Ｎの直前）には、光フィルタ１４Ｎが設けられている。また、光ファイバ伝送路１３Ｎ上であって第１局１１Ｎ側に光合分波器１６Ｎが設けられている。この光合分波器１６Ｎは、当該第２実施形態に係る光伝送監視装置２Ｂにおける光結合部の一部を構成するとともに、光ファイバ伝送路１３Ｎを介して第１局１１Ｎと光学的に接続される第１接続ポート１６ａと、光ファイバ伝送路１３Ｎを介して第２局１６Ｎと光学的に接続される第２接続ポートと、光ファイバ伝送路１３Ｎにパルス試験光を導入するための測定用ポート１６ｃと、第１局１１Ｎから出力された信号光の一部を取り出すための確認用ポート１６ｄを有する。
【００６９】
この第２実施形態に係る光伝送監視装置２Ｂは、Ｎ個の伝送路ユニット全てを監視対象候補とし、例えばｎ番目の伝送路ユニットにおいて伝送異常が検出された場合、光ファイバ伝送路１３ｎに第１局１１ｎ側から第２局１２ｎ側へ向けてパルス試験光を伝搬させ、該パルス試験光の伝搬の際に生じる後方散乱光に基づいて伝送異常の原因を判定する。光伝送監視装置２Ｂは、光スイッチ２０Ｂ、測定装置３０、光パワーメータ４０及び光伝送異常判定装置５０を備える。光伝送異常判定装置５０は、光伝送監視部５１、計測制御部５２、光伝送路試験部５３、試験データ管理部５４、ＯＬＴ配線情報管理部５５、光ＳＷ配線情報管理部５６及び判定部５７を含む。
【００７０】
図１に示された第１実施形態に係る光伝送監視装置２Ａの構成と比較すると、この図６に示された第２実施形態に係る光伝送監視装置２Ｂは、光合分波器１５Ｎ（図１）に替えて光合分波器１６Ｎを備える点で相違し、光スイッチ２０Ａに替えて光スイッチ２０Ｂを備える点で相違し、また、光パワーメータ４０を更に備える点で相違する。
【００７１】
光合分波器１６Ｎは、光スイッチ２０Ｂから到達したパルス試験光を光ファイバ伝送路１３Ｎに導入し、光ファイバ伝送路１３Ｎで生じた後方散乱光を光スイッチ２０Ｂへ出力し、また、第１局１１Ｎから光ファイバ伝送路１３Ｎを経て到達した信号光を光スイッチ２０Ｂへ出力する。そのため、光合分波器１６Ｎは、上述のように、第１接続ポート１６ａ、第２接続ポート１６ｂ、測定用ポート１６ｃ、確認用ポート１６ｄを少なくとも有する。
【００７２】
光スイッチ２０Ｂは、光合分波器１６Ｎの測定用ポート１６ａと光学的に接続される第１入出力ポート２１０と、測定装置３０と光学的に接続される第２入出力ポート２２０と、また、光合分波器１６Ｎの確認用ポート１６ｄと光学的に接続される第３入出力ポート２３０と、光パワーメータ４０と光学的に接続される第４入出力ポート２４０を有する。光スイッチ２０Ｂにおけるポート切り替えは、計測制御部５２により制御され、光合分波器１６Ｎのうちｎ番目の伝送路ユニットに属する光合分波器１６ｎが選択されると、この選択された光合分波器１６ｎと測定装置３０とを光学的に接続するため、第１入出力ポート２１０のうち対応するポートと、第２入出力ポート２２０が接続される。また、光スイッチ２０Ｂは、計測制御部５２の制御により、選択された光合分波器１６ｎと光パワーメータ４０とを光学的に接続するため、第３入出力ポート２３０のうち対応するポートと、第４入出力ポート２２０が接続される。この構成により、光パワーメータ４０は、光スイッチ２０Ｂ及び光ファイバ伝送路１３ｎを介して第１局１１ｎが出力する信号光のパワーをモニタする。
【００７３】
光スイッチ２０Ｂは、光合分波器１６Ｎの測定用ポート１６ａと光学的に接続される第１入出力ポート２１０と、測定装置３０と光学的に接続される第２入出力ポート２２０と、また、光合分波器１６Ｎの確認用ポート１６ｄと光学的に接続される第３入出力ポート２３０と、光パワーメータ４０と光学的に接続される第４入出力ポート２４０を有する。光スイッチ２０Ｂにおけるポート切り替えは、計測制御部５２により制御され、光合分波器１６Ｎのうちｎ番目の伝送路ユニットに属する光合分波器１６ｎが選択されると、この選択された光合分波器１６ｎと測定装置３０とを光学的に接続するため、第１入出力ポート２１０のうち対応するポートと、第２入出力ポート２２０が接続される。また、光スイッチ２０Ｂは、計測制御部５２の制御により、選択された光合分波器１６ｎと光パワーメータ４０とを光学的に接続するため、第３入出力ポート２３０のうち対応するポートと、第４入出力ポート２２０が接続される。この構成により、光パワーメータ４０は、光スイッチ２０Ｂを介して接続された光ファイバ伝送路１３ｎを介して第１局１１ｎが出力する信号光のパワーをモニタする。
【００７４】
なお、ｎ番目の伝送路ユニットが監視対象として特定された場合、計測制御部５２は、光伝送路試験部５３からの指示に基づいて、光スイッチ２０Ｂ、測定装置３０及び光パワーメータ４０それぞれを制御する。このとき、計測制御部５２は、光パワーメータ４０による第１局１１ｎの出力信号光パワーのモニタ結果を取得する。
【００７５】
光伝送路試験部５３は、監視対象となったｎ番目の伝送路ユニットに関して、試験命令を判定部５７から受け取る。この試験命令は、第２局接続信号、光伝送断信号又は光伝送ＢＥＲ異常信号を含み、また、第１局１１ｎ及び第２局１２ｎそれぞれの識別情報を含む。光伝送路試験部５３は、光パワーメータ４０による第１局１１ｎの出力信号光パワーのモニタ結果を計測制御部５２から受け取り、これを判定部５７へ送る。
【００７６】
この第２実施形態では、監視対象となったｎ番目の伝送路ユニットに関し、第１局１１ｎにおいて出力信号光パワーをモニタすることができない場合であっても、第１局１１ｎが出力する信号光のパワーを光パワーメータ４０がモニタすることができる。判定部５７は、このモニタ結果を用いて、第１実施形態の場合と同様に光ファイバ伝送路における伝送異常（光伝送断又は光伝送ＢＥＲ異常）が生じた場合に早期にその原因を判定することができる。
【００７７】
（第３実施形態）
図７は、第３実施形態に係る光伝送監視装置２Ｃを含む光伝送システム１Ｃの構成を示す図である。この図７に示された光伝送監視装置２Ｃは、光伝送システム１Ｃにおける光伝送を監視する。光伝送システム１Ｃも、それぞれが同じ構造を有するＮ（１以上の整数：１、２、…、ｎ、…）個の伝送路ユニットと、当該第３実施形態に係る光伝送監視装置２Ｂを備える。ただし、光伝送システム１Ｃは、ＰＯＮシステムであって、各伝送路ユニットの信号光伝搬経路は、多分岐構造を有する。例えば、ｎ番目の伝送ユニットは、図７に示されたように、第１局１１ｎと、第２局１２ｎに相当する複数の端局１２ｎ,１，１２ｎ,２，１２ｎ,３…（以下、単に第２局ｎ，Ｍ（Ｍは２以上の整数）という）、第１局１１ｎと複数の第２局１２ｎ，Ｍとの間に敷設された多分岐光ファイバ伝送路により構成されている。なお、多分岐光ファイバ伝送路は、スプリッタ１７ｎを有し、第１局１１ｎとスプリッタ１７ｎとの間に敷設された光ファイバ伝送路１３ｎと、スプリッタ１７ｎと複数の第２局ｎ，ｍとの間にそれぞれ敷設された複数の光ファイバ伝送路（分岐線路）１８ｎ,１，１８ｎ,２，１８ｎ,３…により構成されている。この第３実施形態に係る光伝送監視装置２Ｃも、Ｎ個の伝送路ユニットのうち監視対象となった伝送路ユニットそれぞれにおける光伝送を順次監視する。
【００７８】
第１局１１Ｎと第２局１２Ｎ,Ｍとは、光ファイバ伝送路１３Ｎ，スプリッタ１７Ｎ及び光ファイバ伝送路１８Ｎ,ｍを介して、信号光を送受信する。
【００７９】
この第３実施形態に係る光伝送監視装置２Ｃは、多分岐光ファイバ伝送路を含むＮ個の伝巣路ユニットを監視対象候補とし、例えば監視対象となったｎ番目の伝送路ユニットに属する光ファイバ伝送路１３ｎ及び光ファイバ伝送路１８ｎ,Ｍに第１局１１ｎ側から第２局１２ｎ,Ｍ側へ向けてパルス試験光を伝搬させ、そのパルス試験光の伝搬の際に生じる後方散乱光に基づいて光伝送を監視するよう、第１実施形態に係る光伝送監視装置２Ａと同様の構成を有する。
【００８０】
この第３実施形態では、監視対象となったｎ番目の伝送路ユニットに関して、光ファイバ伝送路１８ｎ,ｍ（光ファイバ線路１３ｎにスプリッタ１７ｎを介して接続されるＭ個の光ファイバ伝送路１８ｎ，Ｍのうち第ｍ番目の光ファイバ伝送路）に新規に接続された第２局１２ｎ,ｍは、その接続された旨を示す信号光を第１局１１ｎへ送信する。第１局１１ｎは、その信号光を受信して、光ファイバ伝送路１８ｎ,ｍに第２局１２ｎ,ｍが新規に接続されたことを認識して、そのことを光伝送監視部５１へ通知する。光伝送監視部５１は、そのことを更に判定部５７へ通知する。
【００８１】
光伝送路試験部５３は、監視対象となったｎ番目の伝送路ユニットに関して、光ファイバ伝送路１８ｎ,ｍに第２局１２ｎ,ｍが新規に接続された旨の情報を判定部５７から受けて、測定装置３０により取得された後方散乱光の強度の時間的変化のデータに基づいて、光フィルタ１４ｎ,ｍによるパルス試験光の反射の有無や位置を解析する。このとき、光伝送路試験部５３は、試験データ管理部５４に記憶されている既設の第２局についての光フィルタによるパルス試験光の反射の位置及び強度を参照して、後方散乱光の強度の時間的変化のデータに基づいて、新規の第２局１２ｎ,ｍに至る経路の存在を確認する。
【００８２】
そして、光伝送路試験部５３は、ｎ番目の伝送路ユニットのみに関して言及すると、新規の第２局１２ｎ,ｍに至る経路の存在の確認ができた場合には、その新規の第２局１２ｎ,ｍに対応する光フィルタ１４ｎ,ｍによるパルス試験光の反射の位置及び強度を、第１局１１ｎ及び第２局１２ｎ,ｍに関連付けて、基準データとして試験データ管理部５４に記憶させる。また、新規の第２局１２ｎ,ｍに至る経路の存在の確認ができた場合に、第１局１１ｎと新規の第２局１２ｎ,ｍとの間の伝送を開始させる。
【００８３】
この第３実施形態でも、第１実施形態の場合と同様に、判定部５７は、光ファイバ伝送路における伝送異常（光伝送断又は光伝送ＢＥＲ異常）が生じた場合に早期にその原因を判定することができる。
【００８４】
さらに、この第３実施形態では、ｎ番目の伝送路ユニットのみに関して言及すると、光ファイバ伝送路１８ｎ,ｍに第２局１２ｍ,ｍが新規に接続された場合に、その第２局１２ｎ,ｍに対応する光フィルタ１４ｎ,ｍの装着確認や性能確認を行うことができ、これらの確認の後に第１局１１ｎと第２局１２ｎ,ｍとの間で信号光の送受信を行うことができる。
【００８５】
また、第３実施形態では、ｎ番目の伝送路ユニットのみに関して言及すると、光フィルタ１４ｎ,ｍの装着位置をも確認することができるので、測定装置３０により取得された後方散乱光の強度の時間的変化のデータにおいて各光フィルタによる反射の位置を識別できるように、光フィルタ１４ｎ,ｍの装着位置を調整することができる。
【００８６】
（第４実施形態）
上述の第１〜第３実施形態の光結合部において、計測制御部５２は、予め用意されたＯＬＴ配線情報管理部５５に記録された第１局の配線情報と、光ＳＷ配線情報管理部５６に記録された光スイッチ配線情報とに基づいて、光スイッチ２０Ａ、２０Ｂにおけるポート切り替えを行う。しかしながら、この計測制御部５２におけるポート切り替えの正確性は、予め用意される配線情報の正確性に依存している。すなわち、ＯＬＴ配線情報管理部５５及び光ＳＷ配線情報管理部５６にそれぞれ記録された配線情報は、ともに施工情報に基づいた、人手で登録する情報であり、入力ミス、及び、人力の遅れが発生する可能性がある。したがって、予め登録された配線情報自体が誤っていた場合、監視部により特定された伝送路ユニットに対して所望の試験が行えないこととなる。また、ＯＬＴ配線情報管理部５５及び光ＳＷ配線情報管理部５６に配線情報が登録されない限り、試験が行えないことにもなる。
【００８７】
そこで、この第４実施形態では、第１局と第２局との間の光伝送開始に先立ち、１つの伝送路ユニットを構成する第１局、光結合部の測定用ポート、及び光ファイバ伝送路の対応関係を自動構築する構造を実現する。なお、図８は、第４実施形態に係る光伝送監視装置における光結合部周辺の構成を示す図である。図９は、第４実施形態に係る光伝送監視装置２Ｄを含む光伝送システムの構成を示す図である。図１０は、図９に示された光伝送システム１ＤにおけるＯＬＴ−光ＳＷ情報管理部５００の論理構造を説明するための図である。
【００８８】
図９に示された光伝送システム１Ｄは、それぞれ信号光伝搬経路が多分岐構造を有するＮ個の伝送ユニットと、第４実施形態に係る光伝送監視装置２Ｄを備える。この第４実施形態において、光伝送システム１Ｄの各伝送ユニットは、図７に示された光伝送システム１Ｃにおける各伝送路ユニットと同じ多分岐光ファイバ伝送路で構成されている。なお、光伝送システム１ＤのＮ個の伝送ユニットの一部又は全部は、図１及び図６に示された各伝送路ユニットと同じ構造であってもよい。
【００８９】
この第４実施形態において、光結合部（光合分波器及びスイッチ部に構成される）は、スイッチ部の構成を除き、図６に示された光結合部の構成と同じである。ただし、第４実施形態におけるスイッチ部も、図６に示されたスイッチ部の光パワーメータ４０に替えて信号検出器３００を備えた点を除き、図６に示されたスイッチ部の構成と同じである。すなわち、この第４実施形態に係る光結合部は、図８に示されたように、Ｎ個の伝送路ユニットに属する光ファイバ伝送路１３Ｎ上にそれぞれ配置された光合分波器１６Ｎと、スイッチ部を備える。スイッチ部は、光スイッチ２０Ｃと、計測制御部５２と、信号検出器３００を備える。
【００９０】
さらに、この第４実施形態において、図９光伝送異常判定装置５０は、ＯＬＴ配線情報管理部５５及び光ＳＷ配線情報管理部５６に替えて、ＯＬＴ−光ＳＷ情報管理部５００を備えた点で、上述の第１〜第３実施形態に係る光伝送監視装置２Ａ〜２Ｃと異なる。
【００９１】
以上のように、第４実施形態に係る光伝送監視装置２Ｄの構成は、上述の光結合部及び光伝送異常判定装置の構造を除き、上述の第１〜第３実施形態に係る光伝巣監視装置２Ａ〜２Ｃの何れかと同じであり、重複した説明は省略する。
【００９２】
図８及び図９に示されたように、光合分波器１６Ｎは、光スイッチ２０Ｃから到達したパルス試験光を光ファイバ伝送路１３Ｎに導入し、光ファイバ伝送路１３Ｎで生じた後方散乱光を光スイッチ２０Ｃへ出力し、また、第１局１１Ｎから光ファイバ伝送路１３Ｎを経て到達した信号光を光スイッチ２０Ｃへ出力する。そのため、光合分波器１６Ｎは当該第４実施形態に係る光伝送監視装置２Ｄにおける光結合部の一部を構成するとともに、光ファイバ伝送路１３Ｎを介して第１局１１Ｎと光学的に接続される第１接続ポート１６ａと、光ファイバ伝送路１３Ｎを介して複数の第２局１６Ｎ、Ｍと光学的に接続される第２接続ポート１６ｂと、光ファイバ伝送路１３Ｎにパルス試験光を導入するための測定用ポート１６ｃと、第１局１１Ｎから出力された信号光の一部を取り出すための確認用ポート１６ｄを有する。
【００９３】
また、光スイッチ２０Ｃは、光合分波器１６Ｎの測定用ポート１６ａと光学的に接続される第１入出力ポート２１０と、測定装置３０と光学的に接続される第２入出力ポート２２０と、また、光合分波器１６Ｎの確認用ポート１６ｄと光学的に接続される第３入出力ポート２３０と、信号検出器３００と光学的に接続される第４入出力ポート２４０を有する。光スイッチ２０Ｃにおけるポート切り替えは、計測制御部５２により制御され、光合分波器１６Ｎのうちｎ番目の伝送路ユニットに属する光合分波器１６ｎが選択されると、この選択された光合分波器１６ｎと測定装置３０とを光学的に接続するため、第１入出力ポート２１０のうち対応するポートと、第２入出力ポート２２０が接続される。また、光スイッチ２０Ｃは、計測制御部５２の制御により、選択された光合分波器１６ｎと信号検出器３００とを光学的に接続するため、第３入出力ポート２３０のうち対応するポートと、第４入出力ポート２２０が接続される。この構成により、信号検出器３００は、光スイッチ２０Ｃ及び光ファイバ伝送路１３ｎを介して第１局１１ｎが出力する信号光の検出が可能になる。
【００９４】
続いて、第１局１１Ｎと第２局１２Ｎ，Ｍとの間における光伝送に先立ち、ＯＬＴ−光ＳＷ情報管理部５００の自動構築動作を説明する。なお、以下の説明では、ｎ番目の伝送路ユニットに属する第１局１１ｎと、ｍ番目の第２局１２ｎ，ｍとの間で光伝送が開始されるものとする。
【００９５】
まず、光伝送監視部５１は、第１局１１ｎの新規伝送開始信号を検知し、判定部５７に第１局１１ｎの識別番号を通知する。判定部５７は、この通知を受けて、光伝送路試試験部５３、計測制御部５２を介して光スイッチ２０Ｃ及び信号検出器３００を制御する。そして、計測制御部５２は、光スイッチ２０Ｃにおいて、第３入出力ポート２３０それぞれと第４入出力ポート２４０の接続状態を切り替えつつ、信号検出器３００の検出結果を確認しながら、伝送を開始した第１局１１ｎに対応する第３入出力ポート２３０を捜査・検出する。ただし、このポート捜査において、ＯＬＴ一光ＳＷ情報管理部５００に既に登録されているポート番号の第３入出力ポート２３０は、捜査対象外とする。
【００９６】
計測制御部５２により、新規伝送開始信号を光伝送監視部５１に送出した第１局１１ｎの識別番号と、この第１局１１ｎに接続された光スイッチ２０Ｃにおける第３入出力ポート２３０のポート番号の対応関係が検出されると、判定部５７は、この検出された第１局の識別番号と第３入出力ポート２３０のポート番号の関係を、ＯＬＴ−光ＳＷ情報管理部５００に記録して管理する。なお、ＯＬＴ−光ＳＷ情報管理部５００の論理構造は、例えば図１０に示されたようになる。また、光スイッチ２０Ｃにおける第１入力ポート２１０（光合分波器１６Ｎそれぞれの測定用ポート１６ｃが接続される）と、光スイッチ２０Ｃの第３入出力ポート２３０（光合分波器１６Ｎそれぞれの確認用ポート１６ｄが接続される）との関係は、光合分波器１６Ｎそれぞれの測定用ポート１６ｃ及び確認用ポート１６ｄが、所定の関係を満たすように光スイッチ２０Ｃに接続されている。この所定の関係とは、例えば、ｎ番目の光合分波器１６ｎの測定用ポート１６ｃが接続される第１入出力ポート２１０のポート番号と、確認用ポート１６ｄが接続される第３入出力ポート２３０のポート番号とが所定の計算式により表される関係をいう。したがって、第３入出力ポート２３０のポート番号が計測制御部５２により検出された時点で、検出されたこのポート番号を用いた計算式により得られるポート番号が、第１入出力ポート２１０の対応するポート番号となるため、ＯＬＴ−光ＳＷ情報管理部５００では、第１入出力ポート２１０と第３入出力ポート２３０の対応関係は管理されない。
【００９７】
また、光伝送監視部５１は、管理外の第１局（第１局１１１〜第１局１１ｎ−１、第１局１１ｎ＋１〜第１局１１Ｎ）の何れかから新たに伝送開始の信号が送出された場合、この新規第１局の新規伝送開始信号を検知し、この新規第１局の識別番号を判定部５７に通知する。通知を受けた判定部５７は、この検知された新規第１局を「新規伝送開始の第１局」として、新たにＯＬＴ−光ＳＷ情報管理部５００へ登録する。そして、光スイッチ２０Ｃにおける新規第１局に対応する第３入出力ポート２３０が見つかった時点で「検出済みのＯＬＴ」として管理に加える。
【００９８】
以上のように、判定部５７は、新規伝送開始信号を送出した第１局に対応する第３入出力ポート２３０のポート番号が計測制御部５２により検出された時点で、該新規伝送開始信号を送出した第１局と光スイッチ２０Ｃにおける第３入出力ポート２３０の対応するポート番号との関係を、ＯＬＴ−光ＳＷ情報管理部５００へ順次記録していく（図１０参照）。なお、第１局Ｎのうち何れかが撤去された場合は、判定部５７は、第１局の撤去を検知した光伝送監視部５１からの通知を受け、ＯＬＴ−光ＳＷ情報管理部５００に記録されている関係情報から当該撤去された第１局に関する情報を削除する。
【００９９】
信号検出器３００は、光スイッチ２０Ｃ及び光ファイバ伝送路１３ｎを介して接続された第１局１１ｎが送出する信号光をモニタし、この信号光により構成される伝送フレーム内の当該第１局１１ｎの識別番号を抽出し、この抽出された識別番号を計測制御部５２に通知する装置である。判定部５７は、光伝送監視部５１から通知された新規伝送開始信号を送出した第１局の識別番号と、信号検出器３００が抽出した識別番号とを照合する。その結果、光伝送監視部５１が通知してきた識別番号と信号検出器３００が抽出した識別番号が合致すると、判定部５７は、光スイッチ２０Ｃにおける第３入出力ポート２３０の正しいポート番号が「検出された」と判断する。なお、信号検出器３００としては、既定のＯＮＵ識別番号を持つＯＮＵを使用してもよい。この場合、光スイッチ２０Ｃにより光学的な接続経路が確立することで第１局とＯＮＵ間の通信リンクが確立するため、光伝送監視部５１が第１局から規定の識別番号を持つＯＮＵとの通信リンク状態を確認することで、光スイッチ２０Ｃにおける第３入出力ポート２３０のポート番号を検出することが可能になる。いずれの手段においても、新規伝送開始信号を送出した第１局を識別しつつ、光スイッチ２０における第３入出力ポート２３０の対応するポート番号を検出できることから、複数の第１局が同時に新規伝送開始信号を送出した状況においても、光スイッチ２０Ｃにおける第３入出力ポート２３０の、これら複数の第１局それぞれに対応したポート番号を正しく検出できることになる。例えば、初期のＯＬＴ施工時等に、まとめて電源投入された複数の第１局に対しても、正しいポート番号（光スイッチ２０Ｃにおける第３入出力ポート２３０の、複数の第１局それぞれに対応したポート番号）が検出できる。
【０１００】
第４実施形態に係る光伝送監視装置２Ｄでは、以上のようにＯＬＴ−光ＳＷ情報管理部５００に第１局と対応するポート番号（光スイッチ２０Ｃにおける第３入出力ポート２３０のポート番号）との対応関係が登録された伝送路ユニットが監視対象となり得る。したがって、例えば、ｎ番目の伝送路ユニットにおける第１局１１ｎと第３入出力ポート２３０のポート番号との対応関係がＯＬＴ−光ＳＷ情報管理部５００に登録されているとすると、このｎ番目の伝送路ユニットの監視動作は、上述の第１〜第３実施形態と同様に行われる。ただし、測定装置３０から出力されるパルス試験光が導かれる光スイッチ２０Ｃにおける第１入出力ポート２１０のポート番号の特定方法は異なる。すなわち、第１局１１ｎから光伝送監視部５１に信号が送出されると、光伝送監視部５１は、第１局１１ｎの識別番号を判定部５７へ通知する。判定部５７は、ＯＬＴ−光ＳＷ情報管理部５００に登録された対応関係から該第１局１１ｎに対応する第３入出力ポート２３０のポート番号を取得し、この取得したポート番号から第１入出力ポート２１０の対応するポート番号を、光スイッチ２０Ｃの構造に従って計算により求め、測定装置３０から出力されたパルス試験光を、計算により求められた第１入出力ポート２１０の対応するポート番号へ結合させる。
【０１０１】
この構成によれば、光スイッチ２０Ｃにおける第１入出力ポート２１０は光合分波器１６Ｎの測定用ポート１６ｃにそれぞれ接続され、第２入出力ポート２２０は測定装置３０に接続され、第３入出力ポート２３０は光合分波器１６Ｎの確認用ポートにそれぞれ接続され、第４入出力ポート２４０は信号検出器３００に接続される。光スイッチ２０Ｃにおける第１及び第３入出力ポート２１０、２３０の対応は既知であるため、信号検出器３００の検出結果に基づいて、新規伝送開始信号を送信した第１局を特定すれば、１つの伝送路ユニットを構成する第１局、光合分波器の測定用ポート、及び光ファイバ伝送路の対応関係を自動構築できる。したがって、この第４実施形態に係る光伝送監視装置２Ｄによれば、上述の第１〜第３実施形態におけるＯＬＴ配線情報管理部５５及び光ＳＷ配線情報管理部５６は不要となる（これら管理部５５、５６への登録作業や管理は、不要になる）。
【０１０２】
また、ＯＬＴ一光スイッチ情報管理部５００に記録された情報に従えば、第１局の撤去等の理由で、現在監視に使用していない第３入出力ポート２３０を簡単に見つけることが可能になる。これにより、光スイッチ２０Ｃにおけるポート再利用等、ポートの有効利用を図ることが簡単かつ正確に行えるようになる。
【０１０３】
（第５実施形態）
図１１は、第５実施形態に係る光伝送監視装置における光結合部周辺の構成を示す図である。なお、この第５実施形態に係る光伝送監視装置の構成は、光結合部に含まれる光スイッチ２０Ｄを除き、実質的に上述の第４実施形態に係る光伝送監視装置２Ｄ（図９）と同じである。
【０１０４】
第５実施形態における光スイッチ２０Ｄは、図１１に示されたように、ポート切替機構が、第４実施形態における光スイッチ２０Ｃと異なる。第５実施形態における光スイッチ２０Ｄでは、第２入出力ポート２２０（測定装置３０に接続される）と、第４入出力ポート２４０（信号検出器３００に接続される）とが、図中に示された矢印Ａ又はＢで示された方向に移動可能なヘッド２５０に、一定間隔（図１１では、３本のポートが配置可能な間隔）を保ったまま固定されている。このヘッド２５０の構造に対応して第１入出力ポート２１０と第３入出力ポート２３０は、４本ずつ交互に配置されている。
【０１０５】
この第５実施形態における光スイッチ２０Ｄによれば、第４入出力ポート２４０を第３入出力ポート２３０の何れかに接続すると、測定装置３０に接続された第２入出力ポート２２０が、自動的に対応する第１入出力ポート２１０に接続される。
【０１０６】
なお、上述の光スイッチ２０Ｄにおけるポート切替機構及び動作を除き、Ｎ個の伝送路ユニットそれぞれに対する監視動作に先立って行われるＯＬＴ−光ＳＷ情報管理部５００の構築動作は、上述の第４実施形態と同様である。また、係る構築動作以降の監視動作は、上述の第１〜第３実施形態に係る光伝送監視装置２Ａ〜２Ｃと同様である。
【０１０７】
（第６実施形態）
図１２は、第６実施形態に係る光伝送監視装置における光結合部周辺の構成を示す図である。この第６実施形態における光結合部は、上述の第１〜第５実施形態における光スイッチ２０Ａ〜２０Ｄの何れが適用されてもよい。ただし、この第６実施形態では、光スイッチ２０Ａ〜２０Ｄにおける第４入出力ポート２４０に、計測制御部５２により切替制御されるスイッチ３３０（ＳＷ）を介して信号検出器３００及び光パワーメータ４０が接続されている。
【０１０８】
したがって、スイッチ３３０を介して第４入出力ポート２４０と信号検出器３００とが接続されると、当該第６実施形態に係る光伝送監視装置は、上述の第４実施形態に係る光伝送監視装置２Ｄ（図９）と同じ動作を行うこととなる。一方、スイッチ３３０を介して第４入出力ポート２４０と光パワーメータ４０とが接続されると、当該第６実施形態に係る光伝送監視装置の構造は、第４入出力ポート２４０の接続対象を除き、上述の第４実施形態に係る光伝送監視装置２Ｄ（図９）と同じになる。また、その監視動作は、上述の第２実施形態に係る光伝送監視装置２Ｂ（図６）の監視動作と同じになる。
【０１０９】
（第７実施形態）
上述の第１〜第６実施形態に係る光伝送監視装置では、光合分波器が第１及び第２接続ポートを介して第１局及び光ファイバ伝送路に接続されてしまうと、第１局―第２局間における光伝送に使用されているかどうかの見分けがつかなくなる（現用／非現用の見分けがつかない）。そのため、非現用状態にある光合分波器、及び、この光合分波器に接続されている第１局側の光ファイバ伝送路、及び第２局側の光ファイバ伝送路を、撤去、交換あるいは再利用する場合、間違った設備に対してこれらの作業を実施すると、光伝送断が発生する事態となる。このような事態を避けるため、簡単には光ファイバの接続解除作業が行えないのが実態である。
【０１１０】
そこで、この第７実施形態では、上述の第４〜第６実施形態に係る光伝送監視装置を利用し（上述の第１〜第３実施形態に係る光伝送監視装置を利用してもよい）、非現用状態にある光合分波器を簡単に探し求め、現用状態である光伝送に影響を与えずに、これら非現用設備の撤去、交換、再利用等の作業を安心して実施可能にするための構造をさらに備える。
【０１１１】
例えば、この第７実施形態に係る光伝送監視装置の構造は、上述の第４実施形態に係る光伝送監視装置２Ｄと同じでよいが、判定部５７の周辺の構造が異なる。具体的には、図１３の領域（ａ）に示されたように、判定部５７は、第４実施形態と同様に、ＯＬＴ−光ＳＷ情報管理部５００を管理するとともに、さらに通信状況管理部５１０も管理している。
【０１１２】
この第７実施形態において、判定部５７は、第４実施形態と同様に、第１局と第２局間における光伝送の開始に先立って自動構築された情報（ＯＬＴ−光ＳＷ情報管理部５００に登録された情報）と、通信状況管理部５１０で管理される第１局―第２局間の通信状態に関する情報（ＯＬＴ−ＯＮＵ通信状態）を照らし合わせることで、光スイッチにおける第３入出力ポート２３０のうち、どのポートが、第１局−第２局間の光伝送に用いられていない非現用の光伝送路に対するポートであるかを検出し、その情報を通信状況管理部５１０に登録していく。なお、通信状況管理部５１０には、図１３の領域（ｂ）に示されたように、検出結果が順次登録される。なお、ＯＬＴ−光ＳＷ情報管理部５００には、第１局の識別時番号と、光スイッチにおける第３入出力ポート２３０の対応するポート番号の関係が登録されている。
【０１１３】
また、光スイッチは、光合分波器（Ｎ個の伝送路ユニットそれぞれに属する光合分波器）の傍に設置し、光スイッチのポートと光合分波器それぞれにおける対応ポートとが、５ｍ程度の１本の光ファイバコードで簡素に接続される。これにより、通信状況管理部５１０に登録された光スイッチの非現用ポート情報に従って、光スイッチと光合分波器間の光ファイバコードを目視で追えば、非現用状態である光合分波器、及び、この光合分波器に接続されている第１局側の光ファイバ伝送路、第２局側の光ファイバ光伝送路を簡単に探すことが可能になる。なお、光スイッチと光合分波器間の光ファイバコードは、第１局―第２局間の光伝送には関与しないため、任意時に光スイッチから抜くことも可能である（光伝送には影響が出ない）。この場合、光スイッチ側から心線対照光を入れる等の手段を用いて、目的の光合分波器を探すことも可能である。
【０１１４】
以上のように、この第７実施形態に係る光伝送監視装置によれば、現用状態である光伝送に影響を与えずに、これら非現用設備の撤去、交換、再利用等の作業を安心して実施することが可能になる。
【符号の説明】
【０１１５】
１Ａ〜１Ｄ…光伝送システム、２Ａ〜２Ｄ…光伝送監視装置、１１…第１局、１２…第２局、１３…光ファイバ伝送路、１４…光フィルタ、１５、１６…光合分波器、１７…ビームスプリッタ、１８…光ファイバ伝送路（分岐経路）、２０Ａ〜２０Ｄ…光スイッチ、３０…測定装置、４０…光パワーメータ、５０…光伝送異常判定装置、５１…光伝送監視部、５２…計測制御部、５３…光伝送路試験部、５４…試験データ管理部、５５…ＯＬＴ配線情報管理部、５６…光ＳＷ配線情報管理部、５７…判定部、３００…信号検出器、５００…ＯＬＴ−光ＳＷ情報管理部、５１０…通信状況管理部。
【図１】
2010101001.tif 000003
【図２】
2010101001.tif 000004
【図３】
2010101001.tif 000005
【図４】
2010101001.tif 000006
【図５】
2010101001.tif 000007
【図６】
2010101001.tif 000008
【図７】
2010101001.tif 000009
【図８】
2010101001.tif 000010
【図９】
2010101001.tif 000011
【図１０】
2010101001.tif 000012
【図１１】
2010101001.tif 000013
【図１２】
2010101001.tif 000014
【図１３】
2010101001.tif 000015
【国際調査報告】
2010101001.tif 000016
2010101001.tif 000017
2010101001.tif 000018
2010101001.tif 000019